(57)【特許請求の範囲】
【請求項１】
連続鋳造機の鋳片通路を挟んで対向配置されているロールを、ロール間隔測定装置を用いて診断する方法であって、
前記ロール間隔測定装置は、対向するロール間のギャップを測定するセンサ装置を備え、
前記センサ装置は、対向する各ロール側に付勢されてロールに接触するセンサヘッドと、センサヘッドに取り付けられた検知ロッドを介してセンサヘッドの変位量を検出する変位計とを有し、
前記鋳片通路を通過させるダミーバーに、対向するロールの両端近傍のロール間隔を測定するように前記ロール間隔測定装置を取り付け、当該ロール間隔測定装置によって、対向配置されているロールの間隔を、時間を隔てて複数回測定し、
測定した結果と基準値との差分の時系列傾向を調べ、
前記時系列傾向に基づいて、前記差分が、予め定めた所定値以上となる時期を予測し、当該時期をロールの破損時期と判断することを特徴とする、ロール診断方法。
【請求項２】
前記センサヘッドは、円筒形のセンサハウジングに収納され、
前記センサヘッドは、筒状の本体部と、当該本体部の端部に円錐状に連設されて頂上部がロール側に凸に湾曲した形状を持ったヘッド部とを有し、
前記センサヘッドのヘッド部下端と前記センサヘッドの本体部上端との間には、環状の段部が形成され、
前記ヘッド部の下端部がセンサハウジングに入り込んだ際に、前記段部によって、底面形態が平面視で環帯状であり、垂直断面が台形である受容部が、ヘッド部下方外周とセンサハウジング内周との間に形成されることを特徴とする、請求項１に記載のロール診断方法。
【請求項３】
前記差分が、前記所定値未満の所定の警告値以上になった際には、警告を報知することを特徴とする、請求項１または２に記載のロール診断方法。
【請求項４】
前記ダミーバーは、ロールの傾きを測定するロールアライメントセンサを備え、各ロールごとにロールの傾きを測定することを特徴とする、請求項１〜３のいずれかに記載のロール診断方法。
【請求項５】
測定した結果が、予め定めた所定の警告値以上になった際には、警告を報知することを特徴とする、請求項４に記載のロール診断方法。
【請求項６】
前記ダミーバーは、ロールの不回転を検出するロール不転センサを備え、各ロールごとにロールの回転、不回転を検出することを特徴とする、請求項１〜５のいずれかに記載のロール診断方法。
【請求項７】
ロールの不回転を検出した際には、警告を報知することを特徴とする、請求項６に記載のロール診断方法。
【発明の詳細な説明】
【技術分野】
【０００１】
本発明は、連続鋳造機におけるロールの交換時期を事前に知るためのロール診断方法に関するものである。
【背景技術】
【０００２】
連続鋳造機においては、鋳片通路に沿ってロール対が複数並べられ、鋳片はこのロール対にガイドされて鋳片通路を通過する。このロール対の間隔に異常が発生すると、鋳片の中心偏析や内部割れなどの鋳片品質の低下をもたらす原因となるので、このロール対の間隔を適正に維持することは極めて重要である。そのため従来から各ロール対ごとの間隔が測定されている（特許文献１、２）。
【０００３】
ロール間隔に影響を及ぼす因子としては、ロールのベアリング異常、ロール磨耗、ロール曲がり等があるが、とりわけロールのベアリング異常は、ロールの間隔に大きい影響を与えるので、特許文献２に記載の技術では、１のロールについて複数箇所で測定するようにし、１回の測定によって得られた複数個所での測定データを用いて、ロールベアリングの破損の有無を検出するようにしている。
【０００４】
【特許文献１】特開平１０−２７４５０２号公報
【特許文献２】特開２００６−２３１３５０号公報
【発明の開示】
【発明が解決しようとする課題】
【０００５】
測定したロール間隔の値が許容値を超えていた場合、当該ロール対のロールを点検し、ロールベアリング等に異常があれば、その時点でロールを交換することが行なわれるが、ロール間隔の値が許容値以下であっても、連続鋳造中にロールベアリング等に異常が発生し、その結果、製造された鋳片に現れた疵の存在によって、はじめてロール間隔に異常があり、ロールベアリング等が支障をきたしていることが判明することがある。この場合、不良の鋳片を大量に製造してしまうという問題がある。そのため、ロールのベアリングの寿命を推定して、ロールの交換時期を予測する事が望まれている。
【０００６】
かかる点に照らせば、特許文献１は、ロール対の間隔を測定する装置のみを開示しており、ロールのベアリングの寿命を推定して、ロールの交換時期を予測する点については、何ら開示するところはない。また特許文献２については、１回の測定によって得られた複数個所での測定データを用いて判断しており、ロールベアリングの破損有無を検出する精度は高まったものの、事前に破損の時期を予測するまでには至らなかった。
【０００７】
本発明は、かかる点に鑑みてなされたものであり、主としてロールベアリングに起因するロールの破損時期を事前に予測するようにして、前記問題の解決を図ることを目的としている。
【課題を解決するための手段】
【０００８】
上記目的を達成するため、本発明は、連続鋳造機の鋳片通路を挟んで対向配置されているロールを、ロール間隔測定装置を用いて診断する方法であって、
前記ロール間隔測定装置は、対向するロール間のギャップを測定するセンサ装置を備え、
前記センサ装置は、対向する各ロール側に付勢されてロールに接触するセンサヘッドと、センサヘッドに取り付けられた検知ロッドを介してセンサヘッドの変位量を検出する変位計とを有し、
前記鋳片通路を通過させるダミーバーに、対向するロールの両端近傍のロール間隔を測定するように前記ロール間隔測定装置を取り付け、当該ロール間隔測定装置によって、対向配置されているロールの間隔を、時間を隔てて複数回測定し、
測定した結果と基準値との差分の時系列傾向を調べ、
前記時系列傾向に基づいて、前記差分が、予め定めた所定値以上となる時期を予測し、当該時期をロールの破損時期と判断することを特徴としている。
前記センサヘッドは、円筒形のセンサハウジングに収納され、
前記センサヘッドは、筒状の本体部と、当該本体部の端部に円錐状に連設されて頂上部がロール側に凸に湾曲した形状を持ったヘッド部とを有し、
前記センサヘッドのヘッド部下端と前記センサヘッドの本体部上端との間には、環状の段部が形成され、
前記ヘッド部の下端部がセンサハウジングに入り込んだ際に、前記段部によって、底面形態が平面視で環帯状であり、垂直断面が台形である受容部が、ヘッド部下方外周とセンサハウジング内周との間に形成されるようにしてもよい。
【０００９】
発明者らによれば、ロールを支持しているロールベアリングは、次第に磨耗劣化し、それに伴ってロール間隔が基準値から漸次離れていき、しかも測定値と基準値との差分は時系列に伴って概ね比例傾向にあり、そしてある時点から急激に当該差分が大きくなって破損することがわかった。本発明はかかる知見に基づいてなされたものであり、本発明においては、まずロール間隔測定装置によって、対向配置されているロール対の間隔を、時間を隔てて複数回測定し、ロール対ごとのロール間隔を、時系列に収集するようにした。そして測定した結果と基準値との差分の時系列傾向を調べ、前記時系列傾向に基づいて、前記差分が、予め定めた所定値以上となる時期を予測し、当該時期をロールの破損時期と判断するようにしたので、ロールベアリングが破損する前に、ロールの交換時を知ることができる。
【００１０】
予め定めた所定値は、たとえばベアリングが実際に破損したときの当該ベアリングを有するロール対の間隔を調べておき、このときの間隔値と基準値との差分を採用してもよい。またこの場合、続鋳造機の鋳片通路を挟んで対向配置されているロール対は、複数あり、設置場所によって負荷が異なっているので、劣化進行度合いや破損時のロール間隔値も異なっている。したがって各ロール対ごとにそのような所定値を定めておくことが好ましい。
【００１１】
前記差分が、前記所定値未満の所定の値以上になった際には、警告を報知するようにしてもよい。ここでいう警告の報知とは、たとえば視覚を通じて知らせるランプの点灯や適宜の表示、聴覚を通じて知らせるブザーの発鳴等が挙げられる。これによって、たとえばロールを支持しているベアリングが破損する前に当該ベアリングを交換することができる。
【００１２】
またロール間隔測定装置を搭載している前記ダミーバーは、ロールの傾きを測定するロールアライメントセンサをさらに備え、ロールごとにロールの傾きを測定するようにしてもよい。これによってロールの傾きも同時に検出することができる。ここでいうロールの傾きとは、複数並んで配列されているロールの面が織り成す鋳片通路の傾きをいい、具体的には所定の鋳片通路を形成するための各ロールの所定位置からのズレ量（ミスアライメント量）で表される。
この場合も、測定した結果が、予め定めた所定の警告値以上になった際には、警告を報知するようにしてもよい。
【００１３】
またロール間隔測定装置を搭載している前記ダミーバーが、ロールの回転、不回転を検出するロール不転センサを備え、各ロールごとにロールの回転、不回転を検出するようにしてもよい。これによって回転、不回転も同時に検出することができる。この場合も、ロールの不回転を検出した際には、警告を報知するようにしてもよい。
【発明の効果】
【００１４】
本発明によれば、主としてロールベアリングに起因するロールの破損時期を事前に予測することができ、破損する前にロールの交換を実施することができる。
【発明を実施するための最良の形態】
【００１５】
以下、本発明の好ましい実施の形態について説明する。図1は実施の形態にかかるロール診断方法を実施するロール間隔測定装置が搭載されたダミーバー１を模式的に示している。ダミーバー１は、多数のリンク材１ａとシャフト１ｂとを有しており、図示しないタンディッシュから鋳型２を通じて鋳造される溶鋼３を先導して、複数のロール４、５で形成される鋳片通路内を移動していく。
【００１６】
図２はロール間隔測定装置が搭載されたダミーバー１の底面を示しており、本実施の形態においては、ダミーバー１におけるセンサリンク６の幅方向両端、及び中央にそれぞれ設けられたセンサユニット７ａ、７ｂ、７ｃに各々ロール間隔測定装置Ｓが設けられている。さらに両端のセンサユニット７ａ、７ｂには、ロールの傾きを測定するロールアライメントセンサＱ、ロールの回転、不回転を検出するロール不転センサＲが設けられている。
【００１７】
各センサユニット７ａ、７ｂ、７ｃに設けられているロール間隔測定装置Ｓは、すべて同一構成であるので、たとえばセンサユニット７ａに設けられているロール間隔測定装置Ｓの詳細を図３に基づいて説明すると、このロール間隔測定装置Ｓは、上面と底面に対向してロール４、５間のギャップを測定するためのセンサ装置１０、２０を有している。上面側のセンサ装置１０は可動面側のロール４の変位を測定するためのものであり、底面側に設けられたセンサ装置２０は固定面側のロール５の変位を測定するためのものであり、これら双方のセンサ装置１０、２０によって測定された変位量の測定結果によって、ロール４、５間のギャップが測定される。
【００１８】
センサ装置１０は、ロール４と接触するセンサヘッド１１と、たとえばセンサユニット７ａの本体と連結部材３０とに固定され、センサヘッド１１を収納する円筒形のセンサハウジング１２とを有している。
【００１９】
センサヘッド１１は、筒状の本体部１１ａと、本体部１１ａの端部に円錐状に連設され、頂上部がロール４側に対して凸に湾曲した形状を持ったヘッド部１１ｂとを有している。センサヘッド１１内部の係止部１１ｃと連結部３０との間には、スプリング１３が配置され、センサヘッド１１は、センサハウジング１２から上方、すなわちロール４側へと付勢されている。なおセンサヘッド１１の下端にはフランジ部１１ｄが形成されており、センサハウジング１２の係止部１２ａと係止して、センサヘッド１１はセンサハウジング１２からは離脱しない。またセンサヘッド１１内の中心部には、検知ロッド１４が設けられ、検知信号は変位計１５へと出力されるようになっている。
【００２０】
そしてセンサヘッド１１におけるヘッド部１１ｂ下端と本体部１１ａ上端との間には、図４にも示したように、環状の段部１１ｅが設けられている。本実施の形態では、段部１１ｅの幅ｄは、図５に示したように、０．５ｍｍに設定されている。
【００２１】
ロール５側の変位量を測定するセンサ装置２０もセンサ装置１０とほぼ同様な構成を有しており、ロール５と接触するセンサヘッド２１と、センサユニット７ａの本体と連結部材３０とに固定され、センサヘッド２１を収納する円筒形のセンサハウジング２２とを有し、センサヘッド２１は、筒状の本体部２１ａと、頂上部がロール５側に対して凸に湾曲した形状を持ったヘッド部２１ｂとを有している。またセンサヘッド２１内部の係止部２１ｃと連結部３０との間には、スプリング２３が配置され、センサヘッド２１は、センサハウジング２２から下方、すなわちロール５側へと付勢されている。またセンサヘッド２１内の中心部には、検知ロッド２４が設けられ、検知信号は変位計２５へと出力されるようになっている。
【００２２】
以上の構成を有するロール間隔測定装置Ｓによれば、ロール間隔測定装置Ｓが搭載されたダミーバー１が、溶鋼３を先導して、複数のロール４、５で形成される鋳片通路内を移動していくと、センサ装置１０のセンサヘッド１１と、センサ装置２０のセンサヘッド２１が各々逐次ロール４、５と接触し、ロール４、５間のギャップを測定していく。
【００２３】
そしてセンサ装置１０についていえば、図６に示したように、ロール４と接触したセンサヘッド１１は、スプリング１３による付勢に抗して、下方へ押し下げられ、センサハウジング１２内に収納されるが、このとき図７にも示したように、センサヘッド１１のヘッド部１１ｂの下端部がセンサハウジング１２内に入り込んだ際に、ヘッド部１１ｂ下方外周とセンサハウジング１２内周との間には、段部１１ｅの存在によって、底面形態が平面視で環帯状であり、垂直断面が台形である受容部Ａが形成されている。
【００２４】
したがって、ダミーバー１が鋳片通路内を移動中に冷却材やスケールなどの異物ｘが発生して、センサヘッド１１のヘッド部１１ｂとセンサハウジング１２内周との間に侵入した場合、当該異物ｘは受容部Ａに受容される。受容部Ａの形状は、従来のような先端が尖ったテーパー状ではなく、前記したように垂直断面が台形であるので、異物ｘは、受容部Ａの底面、すなわち段部１１ｅで受容される。したがって、ダミーバー１の進行に伴ってセンサヘッド１１がロール４との接触が終わり、スプリング１３によってセンサヘッド１１が元の位置に復帰する場合、異物ｘは、段部１１ｅによってそのままセンサハウジング１２外へと押し出される。したがって、従来のような異物ｘの噛み込み現象が発生することはなく、円滑にセンサヘッド１１が元の位置に復帰する。それゆえ、長期間にわたって安定してローラ間隔の測定を精度よく行うことが可能である。またセンサヘッド１１のセンサハウジング１２からの突出長さ自体は従来と変わらないので、センサヘッド１１の安全性はそのまま確保されている。
【００２５】
なお連続鋳造機のロールに付着している異物は概ね０．５ｍｍ未満であるため、前記実施の形態では、受容部Ａの底面を構成する段部１１ｅの幅ｄは０．５ｍｍとしたが、好ましくは０．５ｍｍ〜２ｍｍ、例えば１ｍｍ程度が望ましい。
【００２６】
次にロールアライメントセンサＱについて図８に基づいて説明すると、このロールアライメントセンサＱはセンサユニット７ａ、７ｂの下面から、付勢されて突出する接触子４１を有しており、この接触子４１が、固定面側の隣り合うロール５、５に対して各々接触し、ロール５、５の傾き、すなわち鋳片通路の下面側の傾きをロール５、５形成するため各ロール５、５の所定位置からのズレ量を検出するようになっている。
【００２７】
ロール不転センサＲは、図９に示したように、ロール不転センサＲ内に、ロール４と接触して回転するローラー接触体５１と、ロール５と接触して回転するローラー接触体５２を有しており、ロール４、５が回転している場合には、ローラー接触体５１、５２は当該回転方向と逆方向に回転するが、ロール４、５が不転状態にあるときは逆転し、そのときの回転角度（回転率）を検出することで、ロール４、５の回転、不回転を検出する機能を有している。
【００２８】
これらロール間隔測定装置Ｓ、ロールアライメントセンサＱ、ロール不転センサＲが検出した信号は、図２に示したように、センサリンク６近傍のリンク材１ａに搭載された信号処理ユニット８へと出力される。
【００２９】
ダミーバー１に搭載した信号処理ユニット８からの信号は、図１０に示したように、中央操作室のホストコンピュータ６１へと出力され、ＨＵＢ６２を介して、中央操作室のサーバー６３へと送られ、サーバー６３においてそのデータが保存される。そして１回の測定結果、すなわちダミーバー１が鋳片通路を通過するたびに得られた各ロールごとの測定結果が、各ロールごとに処理して蓄積される。
【００３０】
さらにまたサーバー６３は、データ解析に必要なソフトウェアがインストールされ、ロール間隔については、測定した結果と基準値との差分の時系列傾向が演算される。そして当該時系列傾向に基づいて、前記差分が、予め定めた所定値以上となる時期を予測する。また測定の結果，基準値との差分が前記所定値未満の所定の警告値以上になった際には、アラーム信号が出力されるようになっている。ロールアライメントセンサＱからの信号については，各ロールごとの出力信号に基づくミスアライメント量が，所定値以上になった際に、アラーム信号が出力されるようになっている。ロール不転センサＲからの信号についても，各ロールごとの出力信号に基づく回転率が，所定値以上になった際に、アラーム信号が出力されるようになっている。
【００３１】
なおサーバー６３に対しては，ルータ６４を介して，監視クライアント端末６５，６６が接続可能であり，中央操作室以外でも必要に応じて，実施の形態にかかるロール診断方法を実施することが可能である。
【００３２】
本実施の形態にかかるロール診断方法を実施するための主要な装置，システム構成は以上の通りであり，次にロール診断方法の一例について説明する。
【００３３】
図１１は，ダミーバー１に搭載したロール間隔測定装置Ｓからの１回のロール間隔測定値を，各ロール対ごとに示したものであり、第１番ロールの測定値を０として各ロール間隔測定値を表示したものである。これによれば，連続鋳造機に設置されているロール対によって，ロール間隔にばらつきがあることが判る。しかしながらこのデータでは、ロールの経時劣化傾向は判らない。そこでたとえば特定のロール対、たとえば第４９番のロール対に着目し、第４９番のロール対について、時間を隔てて複数回測定し、基準値との差分を算出した結果を図１２のグラフに示す。
【００３４】
図のグラフ中、横軸はオンラインチャージ数、縦軸は測定値と基準値との差を示している。なおオンラインチャージ数は、取鍋からタンディッシュに溶鋼を投入する回数であるので、ダミーバー１が鋳片通路を通過する際の測定回数とは直接関係がなく、実際の測定時点を示すグラフ中のプロット数が、測定回数を示している。またグラフ中、黒丸のプロットは、ロールにおける一端側（具体的には固定側のベアリング側）のロール間隔を示し、黒三角のプロットは、ロールにおける他端側（具体的には自由側のベアリング側）のロール間隔を示し、これらはセンサリンク６の両側に設けられたセンサユニット７ａ、７ｂに搭載されたロール間隔測定装置Ｓからのデータに基づいている。すなわち、図１２のグラフは、ロール対の両端近傍のロール間隔の基準値からの差分を各々プロットしたものである。
【００３５】
図１２のグラフによれば、自由側のベアリング側のロール間隔と基準値との差分は、ほぼ０．６ｍｍで推移しているが、固定側のベアリング側の基準値との差分は、チャージ数の増加に比例して増加し、ほぼ３６５００チャージのところで１．０ｍｍに達し、以後急激に増加していることが判る。そして後日検証した結果、このロールにおいては基準値との差分が１．０ｍｍ以上になると、ベアリングが破損していることが確認できた。
【００３６】
したがって、時間を隔ててロール間隔を複数回測定し、基準値との差分を算出して、測定した結果と基準値との差分の時系列傾向を調べることにより、差分が１．０ｍｍ以上になる積算チャージ数を予測することができ、それによって当該積算チャージ数の時期をベアリング破損時期と予測することができる。それゆえ当該積算チャージ数の時期が到来する前に、ベアリングを交換することが可能になる。
【００３７】
また本実施の形態では、サーバ６３において、測定した結果と基準値との差分が、所定値未満の所定の警告値以上になった際には、アラーム信号が出力されるようになっているので、たとえば前記差分が０．９ｍｍになった時点で、アラーム信号を出力することが可能である。これによって近い将来にベアリングが破損するロールを知ることができ、事前に当該ロールの交換を実施することが可能である。
【００３８】
また本実施の形態では、ダミーバー１に、ロールの傾きを測定するロールアライメントセンサＱが搭載されている。したがって、ロールの傾きについても、サーバー６３や監視クライアント端末６５、６６で監視することができる。
【００３９】
図１３は、第２９番〜第３４番のロールについての、ロールの傾きについての測定データのグラフを示している。これによれば、第３１番のロールに関して、所定値の位置から許容値を超えるミスアライメント（位置ズレ）していることが判る。そしてサーバ６３においては、所定の警告値以上になった際には、アラーム信号が出力されるようになっているので、たとえば前記位置ズレ量が所定の警告値以上になった時点で、そのことを知ることができ、事前に当該ロールの交換、保守を実施することが可能である。また位置ズレが所定の警告値以上になったロールが特定されるので、従来のように設備を停止して、作業員が全てのロールについて手作業によって確認することと比べて、はるかに該当ロールの発見、対処に要する時間を短縮することができる。したがって、生産性を向上させる事が可能である。
【００４０】
さらに本実施の形態では、ダミーバー１に、ロールの回転、不回転を検出するロール不転センサＲが搭載されているので、ロール４、５が連続鋳造の際に回転しているかどうかについても、サーバー６３や監視クライアント端末６５、６６において監視することができる。
【００４１】
図１４は、ある特定のロールについて、キャストごと（すなわちダミーバー１が溶鋼を先導して連続鋳造機の鋳片通路を通過する回数ごと）に、ロール不転センサＲからの信号を回転率で表示したものである。
【００４２】
これによれば、６キャスト目の時点で、回転率が８０％に達しており、以後ロールを支持しているセグメントを交換するまで、７０％〜８０％の間で推移している。そして１０キャスト目が終了した後、セグメントを交換して該当ロールを交換した後の１１キャスト目では、回転率は約１５％に低下している。なお本実施の形態では、回転率２０％を超えるとロール不回転と判定するように設定した。
【００４３】
実際に検証したところ、６キャスト目の連続鋳造によって製造された鋳片には鋳片カキ疵を確認することができ、１１キャスト目以降の連続鋳造によって製造された鋳片には鋳片カキ疵を確認することができなかった。
【００４４】
また本実施の形態では、各ロールごとに回転、不回転の検出データがサーバー６３へと出力され、各ロールごとの出力信号値が，所定値以上になった際に、アラーム信号が出力されるようになっているので、たとえば回転率２０％を所定値と設定しておくことで、不回転が発生したロールを直ちに知る事ができる。したがって、従来のように、製造された鋳片に鋳片カキ疵が発見されてから、設備を停止して、作業員が全てのロールについて手作業によってロールの回転、不回転をチェックしていたことに比べると、はるかに不回転ロールの発見が容易かつ短時間で行なえ、設備の停止時間を短縮することが可能であり、生産性を向上させる事ができる。
【産業上の利用可能性】
【００４５】
本発明は、連続鋳造装置のロールの診断にとって有用である。
【図面の簡単な説明】
【００４６】
【図１】実施の形態にかかる診断方法を実施するためのロール間隔測定装置を装備したダミーバーが連続鋳造機の鋳片通路を通過する際の様子を示す側面図である。
【図２】実施の形態にかかる診断方法を実施するためのロール間隔測定装置を装備したダミーバーの底面図である。
【図３】実施の形態にかかる診断方法を実施するためのロール間隔測定装置の縦断面図である。
【図４】図３のロール間隔測定装置におけるセンサヘッドとセンサハウジングの要部拡大断面図である。
【図５】図３のロール間隔測定装置におけるセンサヘッドの平面図である。
【図６】ロールと接触しているときの図３のロール間隔測定装置の縦断面図である。
【図７】図３のロール間隔測定装置において異物が受容部に受容された様子を模式的に示した断面図である。
【図８】ロールアライメントセンサの概要を模式的に示した説明図である。
【図９】ロール不転センサの概要を模式的に示した説明図である。
【図１０】本実施の形態を実施するためのシステム系の概要を模式的に示した説明図である。
【図１１】１回のロール間隔測定値を，各ロール対ごとに示したグラフである。
【図１２】第４９番のロール対についての、チャージ数の増加に伴うロール間隔の基準値との差分を示すグラフである。
【図１３】第２９番〜第３４番のロールについての、ロールの傾きについての測定データのグラフである。
【図１４】特定のロールについて、キャストごとのロール不転センサからの信号を回転率で表示したグラフである。
【符号の説明】
【００４７】
１    ダミーバー
１ａ  リンク材
１ｂ  シャフト
２    鋳型
３    溶鋼
４    ロール
５    ロール
６    センサリンク
７ａ、７ｂ、７ｃ  センサユニット
８    信号処理ユニット
１０    センサ装置
１１    センサヘッド
１１ａ  本体部
１１ｂ  ヘッド部
１１ｃ  係止部
１１ｄ  フランジ部
１１ｅ  段部
１２    センサハウジング
１２ａ  係止部
１２ｂ  段部
１３    スプリング
１４    検知ロッド
１５    変位計
２０    センサ装置
２１    センサヘッド
２１ａ  本体部
２１ｂ  ヘッド部
１１ｃ  係止部
２２    センサハウジング
２３    スプリング
２４    検知ロッド
２５    変位計
３０    連結部材
５１    ローラー接触体
５２    ローラー接触体
６１    ホストコンピュータ
６２    ＨＵＢ
６３    サーバー
６４    ルータ６４
６５、６６    監視クライアント端末
Ａ    受容部
Ｄ    搬送方向
Ｑ    ロールアライメントセンサ
Ｒ    ロール不転センサ
Ｓ    ロール間隔測定装置
ｄ    幅
ｘ    異物
【図１】
0005217620.tif 000002
【図２】
0005217620.tif 000003
【図３】
0005217620.tif 000004
【図４】
0005217620.tif 000005
【図５】
0005217620.tif 000006
【図６】
0005217620.tif 000007
【図７】
0005217620.tif 000008
【図８】
0005217620.tif 000009
【図９】
0005217620.tif 000010
【図１０】
0005217620.tif 000011
【図１１】
0005217620.tif 000012
【図１２】
0005217620.tif 000013
【図１３】
0005217620.tif 000014
【図１４】
0005217620.tif 000015